(57)【特許請求の範囲】
【請求項１】
ランプ端子と電気的に接続される接続端子（１２６）を含むハウジング（１１０）と、
前記ハウジング（１１０）に回転可能に結合されるカバー（１５０）と、
前記カバー（１５０）の開放角を鋭角に維持させる角度維持部とを備え、
前記カバー（１５０）は、閉鎖時に前記ランプ端子の一部を露出させる開口部（１５２）を含み、
前記角度維持部は、前記開放角の下限を抑制する第１角度維持部（１３０）と前記開放角の上限を抑制する第２角度維持部（１４０）とを含み、
前記第１角度維持部（１３０）は、前記カバー（１５０）の両側位置のハウジング（１１０）から弾性を有して突出して形成され、
前記第２角度維持部（１４０）は、前記ハウジング上段部の、前記カバー（１５０）後方に突出して形成された突起であることを特徴とするランプソケット。
【請求項２】
前記ハウジング（１１０）と前記カバー（１５０）とは、ヒンジ結合（１５６）することを特徴とする請求項１に記載のランプソケット。
【請求項３】
ランプ端子と電気的に接続される接続端子（１２６）を含むハウジング（１１０）と、
前記ハウジング（１１０）に回転可能に結合されるカバー（１５０）と、
前記カバー（１５０）の開放角を鋭角に維持させる角度維持部とを備え、
前記カバー（１５０）は、閉鎖時に前記ランプ端子の一部を露出させる開口部（１５２）を含み、
前記ハウジング（１１０）に形成されたヒンジホール（２６０）、及び前記カバー（１５０）に形成されて該ヒンジホール（２６０）と結合してヒンジ結合されるヒンジ軸（２５０）を更に備え、
前記角度維持部は、前記ヒンジ軸に形成される第１突起（２５１）及び前記第１突起（２５１）と対応するヒンジホール（２６０）の凹部の中央に形成される第２突起（２６１）であり、
前記第１突起（２５１）及び前記第２突起（２６１）は、一定以上のトルクが発生すると互いに弾性変形を起こし、前記第１突起（２５１）は前記第２突起（２６１）を通り過ぎることを特徴とするランプソケット。
【請求項４】
前記接続端子（１２６）の間に形成されてランプ挿入時に前記ランプ端子（７１）をガイドするガイド部材（１２０）を更に備えることを特徴とする請求項１又は３に記載のランプソケット。
【請求項５】
映像を表示する表示パネル（３０）と、
前記表示パネル（３０）に光を供給する、端子を含むランプ（７０）と、
前記ランプ端子（７１）と電気的に接続される接続端子を含むハウジング（１１０）、該ハウジング（１１０）に回転可能に結合されるカバー（１５０）、及び該カバー（１５０）の開放角を鋭角に維持させる角度維持部を含むランプソケット（１００）とを備え、
前記ランプソケット（１００）は、請求項１、２、４のいずれか一項に記載のランプソケットからなることを特徴とする液晶表示装置。
【請求項６】
映像を表示する表示パネル（３０）と、
前記表示パネル（３０）に光を供給する、端子を含むランプ（７０）と、
前記ランプ端子（７１）と電気的に接続される接続端子を含むハウジング（１１０）、該ハウジング（１１０）に回転可能に結合されるカバー（１５０）、及び該カバー（１５０）の開放角を鋭角に維持させる角度維持部を含むランプソケット（１００）とを備え、
前記ランプソケット（１００）は、請求項３又は４に記載のランプソケットからなることを特徴とする液晶表示装置。
【請求項７】
前記ランプソケット（１００）は、前記接続端子（１２６）の間に形成されてランプ挿入時に前記ランプ端子（７１）をガイドするガイド部材（１２０）を更に含むことを特徴とする請求項５又は６に記載の液晶表示装置。
【発明の詳細な説明】
【技術分野】
【０００１】
本発明はランプソケットとこれを備える液晶表示装置に係り、より詳細には、ランプの組立て及び検査が容易なランプソケットと、これを備える液晶表示装置に関するものである。
【背景技術】
【０００２】
現代社会が高度の情報化社会になるにつれて表示装置は大型化及び薄型化に対する市場の要求に直面しており、従来のＣＲＴ装置ではこのような要求を十分に満足させることができなくなり、ＰＤＰ（Ｐｌａｓｍａ  Ｄｉｓｐｌａｙ  Ｐａｎｅｌ）装置、ＰＡＬＣ（Ｐｌａｓｍａ  Ａｄｄｒｅｓｓ  Ｌｉｑｕｉｄ  Ｃｒｙｓｔａｌ  ｄｉｓｐｌａｙ  ｐａｎｅｌ）装置、ＬＣＤ（Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などに代表されるフラットパネル表示装置に対する需要が爆発的に増えている。
【０００３】
液晶表示装置（Ｌｉｑｕｉｄ  Ｃｒｙｓｔａｌ  Ｄｉｓｐｌａｙ：ＬＣＤ）は、現在最も広く使用されているフラットパネル表示装置（Ｆｌａｔ  Ｐａｎｅｌ  Ｄｉｓｐｌａｙ：ＦＰＤ）のうちの一つであって、電極が形成されている２枚の基板とその間に挿入されている液晶層から成り、電極に電圧を印加して液晶層の液晶分子を再配列させることによって透過する光の量を調節して映像を表示する装置である。
【０００４】
このような液晶表示装置は、それ自体が発光しない受信発光装置のため、液晶層を通過する光を提供するバックライトアッセンブリが要求される。バックライトアッセンブリに利用される光源として、ＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）などが主に使用されており、液晶表示装置の製造効率を高めるためには光源をはじめとした各種部品を自動化設備によって組み立てる必要がある。
【特許文献１】大韓民国公開特許第１０−２００６−００１４２３号公報
【発明の概要】
【発明が解決しようとする課題】
【０００５】
これに伴い、自動化設備による自動組立てが容易で、組立て後にランプの挿入状態を容易に検査できる構造が必要となった。
【０００６】
本発明は、上記の点に鑑みてなされたものであって、本発明の目的は、ランプの組立て及び検査が容易なランプソケットを提供することにある。
【０００７】
本発明の他の目的は、ランプの組立て及び検査が容易なランプソケットを含む液晶表示装置を提供することにある。
【課題を解決するための手段】
【０００９】
上記目的を達成するためになされた本発明によるランプソケットは、ランプ端子と電気的に接続される接続端子を含むハウジングと、前記ハウジングに回転可能に結合されるカバーと、前記カバーの開放角を鋭角に維持させる角度維持部とを備え、前記カバーは、閉鎖時に前記ランプ端子の一部を露出させる開口部を含み、前記角度維持部は、前記開放角の下限を抑制する第１角度維持部と前記開放角の上限を抑制する第２角度維持部とを含み、前記第１角度維持部は、前記ヒンジ結合された前記カバーの両側位置のハウジングから弾性を有して突出して形成され、前記カバーの一部を支持して前記開放角の下限を抑制し、前記第２角度維持部は、前記ハウジング上段部の前記カバー後方に突出して形成された突起であって、前記ヒンジを中心とした前記カバーの回転を抑制することを特徴とする。
また、上記目的を達成するためになされた本発明によるランプソケットは、ランプ端子と電気的に接続される接続端子を含むハウジングと、前記ハウジングに回転可能に結合されるカバーと、前記カバーの開放角を鋭角に維持させる角度維持部とを備え、前記カバーは、閉鎖時に前記ランプ端子の一部を露出させる開口部を含み、前記ハウジングに形成されたヒンジホール、及び前記カバーに形成されて該ヒンジホールと結合してヒンジ結合されるヒンジ軸を更に備え、前記角度維持部は、前記ヒンジ軸に形成される第１突起及び前記第１突起と対応するヒンジホールの凹部の中央に形成される第２突起であり、前記第１突起及び前記第２突起は、一定以上のトルクが発生すると互いに弾性変形を起こし、前記第１突起は前記第２突起を通り過ぎることを特徴とする。
【００１０】
上記目的を達成するためになされた本発明による液晶表示装置は、映像を表示する表示パネルと、前記表示パネルに光を供給して端子を含むランプと、前記ランプ端子と電気的に接続される接続端子を含むハウジング、該ハウジングに回転可能に結合されるカバー、及び該カバーの開放角を鋭角に維持させる角度維持部を含むランプソケットとを備え、前記ランプソケットは前記角度維持部が第１角度維持部と第２角度維持部を含む本発明に係るランプソケットからなることを特徴とする。
また、上記目的を達成するためになされた本発明による液晶表示装置は、映像を表示する表示パネルと、前記表示パネルに光を供給して端子を含むランプと、前記ランプ端子と電気的に接続される接続端子を含むハウジング、該ハウジングに回転可能に結合されるカバー、及び該カバーの開放角を鋭角に維持させる角度維持部を含むランプソケットとを備え、前記ランプソケットは前記角度維持部がヒンジ軸に形成される第１突起とヒンジホールの凹部の中央に形成される第２突起とを含む本発明に係るランプソケットからなることを特徴とする。

【００１２】
その他、上記目的を達成するためになされた本発明の実施形態の具体的な事項は詳細な説明及び図に含まれる。
【発明の効果】
【００１３】
本発明のランプソケットとこれを備える液晶表示装置によれば、ランプの組立て及びその検査が容易になる。
【図面の簡単な説明】
【００１４】
【図１】本発明の第１実施形態によるランプソケットの斜視図である。
【図２】図１に示すランプソケットの背面斜視図である。
【図３】図１に示すランプソケットの分解斜視図である。
【図４】図１に示すランプソケットの正面図である。
【図５】図１に示すランプソケットの平面図である。
【図６】図１に示すランプソケットの側面図である。
【図７】図１に示すランプソケットの背面図である。
【図８】図１に示すランプソケットの動作を説明するための斜視図である。
【図９】図１に示すランプソケットの動作を説明するための斜視図である。
【図１０】本発明の第２実施形態によるランプソケットの正面図である。
【図１１】図１０に示すランプソケットの背面斜視図である。
【図１２】図１０に示すランプソケットの動作を説明するための図である。
【図１３】図１０に示すランプソケットの動作を説明するための図である。
【図１４】本発明の第３実施形態によるランプソケットのカバーが開かれた形態の斜視図である。
【図１５】図１４に示すランプソケットの正面図である。
【図１６】本発明の第３実施形態によるランプソケットのカバーが閉じられた形態の斜視図である。
【図１７】図１６に示すランプソケットの正面図である。
【図１８】本発明の第４実施形態によるランプソケットの開かれた形態の側面図である。
【図１９】図１８に示すランプソケットの閉じられた形態の側面図である。
【図２０】本発明の一実施形態によるランプソケットを含む液晶表示装置の分解斜視図である。
【図２１】本発明の一実施形態による液晶表示装置の製造方法を説明するための図である。
【図２２】本発明の一実施形態による液晶表示装置の製造方法を説明するための図である。
【図２３】本発明の一実施形態による液晶表示装置の製造方法を説明するための図である。
【図２４】本発明の一実施形態による液晶表示装置の製造方法を説明するための図である。
【発明を実施するための形態】
【００１５】
以下、本発明のランプソケットとこれを備える液晶表示装置を実施するための形態の具体例を、図面を参照しながら詳細に説明する。しかし本発明は以下で開示される実施形態に限定されるものではなく異なる多様な形態で具現されるものであって、単に本実施形態は本発明の開示を完全にするため、本発明が属する技術分野の通常の知識を有する者に発明の範疇を完全に知らせるために提供されるものである。従って、いくつかの実施形態において、公知の工程段階、公知の素子構造及び公知の技術は本発明が不明確に解釈されることを避けるために具体的な説明を省略する。明細書全体にかけて同一参照符号は同一構成要素を指称する。
【００１６】
素子（ｅｌｅｍｅｎｔｓ）又は層が異なる素子又は層の「上（ｏｎ）」、「接続された（ｃｏｎｎｅｃｔｅｄ  ｔｏ）」又は「カップリングされた（ｃｏｕｐｌｅｄ  ｔｏ）」と指称されるものは他の素子の真上に、他の素子と直接連結又はカップリングされた場合、又は中間に他の層又は他の素子を介在した場合を全て含む。一方、素子が「直接上（ｄｉｒｅｃｔｌｙ  ｏｎ）」、「直接接続された（ｄｉｒｅｃｔｌｙ  ｃｏｎｎｅｃｔｅｄ  ｔｏ）」又は「直接カップリングされた（ｄｉｒｅｃｔｌｙ  ｃｏｕｐｌｅｄ  ｔｏ）」と指称されるものは中間に他の素子又は層を介在しないことを表す。明細書全体にかけて同一参照符号は同一構成要素を指称する。「及び／又は」は言及されたアイテムの各々及び一つ以上の全ての組合せを含む。
【００１７】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは図面に示されているように一つの素子又は構成要素と異なる素子又は構成要素との相関関係を容易に記述するために使用され得る。空間的に相対的な用語は図面に示されている方向に加えて使用時又は動作時素子の互いに異なる方向を含む用語として理解され得る。明細書全体にかけて同一参照符号は同一構成要素を指称する。
【００１８】
以下、図１〜図７を参照して本発明の第１実施形態によるランプソケットについて詳細に説明する。ここで、図１は、本発明の第１実施形態によるランプソケットの斜視図であり、図２は、図１に示すランプソケットの背面斜視図であり、図３は、図１に示すランプソケットの分解斜視図であり、図４は、図１に示すランプソケットの正面図であり、図５は、図１に示すランプソケットの平面図であり、図６は、図１に示すランプソケットの側面図であり、図７は、図１に示すランプソケットの背面図である。
【００１９】
先ず、図１〜図３を参照すると、ランプソケット１００は、ランプ７０を固定してランプ７０に電源を供給する役割をするものであって、後述するソケットガイド１０５に挿入されて液晶表示装置１の収納容器に固定される（図２０参照）。このようなランプソケット１００はハウジング１１０、ソケット固定部１１２、インバータ挿入口１１４、第１接続端子１２６、第２接続端子１１６、ガイド部材１２０、第１角度維持部１３０、第２角度維持部１４０、カバー１５０、開口部１５２及びヒンジ１５６等を含む。
【００２０】
ハウジング１１０の上段部にはランプ７０が固定され、下段部にはインバータ（図示せず）が挿入されてランプ７０に駆動電圧を供給するようにする。ハウジング１１０上段部にはランプ７０が据え置かれるランプ据え置き部１６０を含む。ランプ据え置き部１６０はランプ７０形状に切り抜かれてランプ７０が安着され得るように形成される。ランプ据え置き部１６０にはランプ７０の一端部が据え置かれ、ランプ７０の二つのランプ端子７１はランプ端子挿入溝１２２に各々挿入される。
【００２１】
ランプ端子挿入溝１２２はガイド部材１２０により隔離され、各ランプ端子挿入溝１２２はランプ端子７１と接続される第１接続端子１２６を各々含む。
【００２２】
第１接続端子１２６は、ランプ７０に駆動電圧を印加し、ランプソケット１００の下段部に形成された第２接続端子１１６と連結される。ここで、ランプ７０には熱陰極蛍光ランプ（ＨＣＦＬ）を使用することができ、熱陰極蛍光ランプは両端部に各２個ずつ端子を含む。熱陰極蛍光ランプの各端子は、ランプ端子挿入溝１２２に各々挿入され、第１接続端子１２６に接続される。この時、第１接続端子１２６は弾性を維持して端子が挿入されると再び離脱されないように端子を固定することができる。
【００２３】
第２接続端子１１６はインバータ（図示せず）から駆動電圧の印加を受けて第１接続端子１２６に供給する。インバータはランプソケット１００の下段部に形成されたインバータ挿入口１１４に挿入される。インバータは後述する下部収納容器９０（図２０参照）の下部でスライディングされてインバータ挿入口１１４に挿入される。
【００２４】
一方、ランプソケット１００は、フランジ１１１を基準として下段部が下部収納容器９０の外部に露出され、上段部が下部収納容器９０内でランプ７０を固定する。このようなランプソケット１００はソケット固定部１１２によって下部収納容器９０に結合される。ここで、ソケット固定部１１２は下部収納容器９０と単純に凹凸結合したりフック結合したりすることができる。
【００２５】
ランプソケット１００は、上段部にカバー１５０を具備し、挿入されたランプ７０が離脱することを防止する。カバー１５０の一端部はハウジング１１０とヒンジ１５６によって結合され、カバー１５０はヒンジ１５６を中心に回転して開け閉めできる。
【００２６】
カバー１５０とハウジング１１０は、一端部にヒンジ１５６を具備してヒンジ結合することができ、他端部には引っかかり部１５４と引っかかり溝１２４を各々含み、フック結合してカバー１５０とハウジング１１０を固定することができる。引っかかり部１５４はカバー１５０に形成され、フック形態で形成されて、ハウジング１１０に形成された引っ掛かり溝１２４に結合される。このような引っかかり部１５４と引っかかり溝１２４によるフック結合は、カバー１５０とハウジング１１０を固定する一実施形態に他ならないものであって、多様な方式によって結合され得るものである。
【００２７】
図１、図３及び図４を参照すると、ガイド部材１２０はランプ７０の端子をガイドしてランプ端子挿入溝１２２に各々挿入されるようにする。ガイド部材１２０は、ランプ７０の両端子を分離して絶縁する役割をするだけでなく、ランプ７０が容易に挿入されるようにする役割をする。
【００２８】
ガイド部材１２０は第１接続端子１２６を支持する支持壁１２３より高く形成することができる。即ち、自動化装置によってランプ７０を上部から下部に移動して結合させる時、ランプ端子７１がガイド部材１２０によって先にガイドされ、端子７１が一つずつランプ端子挿入溝１２２に挿入されるようにする。
【００２９】
ガイド部材１２０は、終端の角度（θ１）を４０〜８０°に維持し、ランプソケット１００にランプ挿入時におけるランプ７０の端子が容易に挿入されるようにする。ランプ７０の端子は、第１接続端子１２６とガイド部材１２０の間に結合されることによって、一次的に固定され、カバー１５０によって２次的に離脱を防止するようにする。
【００３０】
図１、図３及び図５を参照すると、カバー１５０は開口部１５２を含んでおり、ランプ端子挿入溝１２２に挿入されたランプ端子７１が正確に挿入されたか否かを容易に検査できるようにする。具体的に説明すると、カバー１５０は、ランプ７０が位置する方向に切開されてカバー１５０方向に切り抜かれた溝形状の開口部１５２を形成し、開口部１５２を通じてガイド部材１２０とランプ端子挿入溝１２２の一部を露出させてランプ端子７１が正しく挿入されたか否かを簡単に検査できるようにする。
【００３１】
この時、開口部１５２はランプ端子７１の一部が露出できる程度に形成されるのが好ましい。即ち、開口部１５２はランプ端子７１が正確に挿入されているか否かを判別することができる程度のサイズで形成され、カバー１５０の残り領域はランプ端子７１の末端部を覆っておりランプ７０が任意に離脱することを防止することができる。
【００３２】
一方、開口部１５２はランプ７０が位置する方向に必ず開放される必要はなく、ランプ端子７１が露出できる程度の領域が開口された閉領域として形成され得る。このように開口部１５２の末端部が閉領域として形成されることで自動化装置によってカバー１５０を結合するのに容易になり得る。ランプ７０の結合工程に関しては詳細に後述する。
【００３３】
図１、図６及び図７を参照すると、ランプソケット１００はカバー１５０の開放角度を一定に維持させることができる第１角度維持部１３０及び第２角度維持部１４０を含む。
【００３４】
第１角度維持部１３０は、カバー１５０がランプ端子挿入溝１２２を露出しつつ所定の角度に開放されるようにカバー１５０の開放角が小さくなることを防止する役割をする部分であって、支持壁１２３の側部に支持壁１２３と所定の間隔で離隔されて形成され得る。図６に示したように引っかかり溝１２４と一体で形成することもでき、引っかかり溝１２４と別途に形成することもできる。このような第１角度維持部１３０は、フランジ（ｆｌａｎｇｅ）１１１の上部に一定の高さで突出した形態であって、カバー１５０に形成された引っ掛かり部１５４又はカバー１５０の側面部を支持して所定の角度以下に落ちることを防止して鋭角を維持できる一種のストッパー（ｓｔｏｐｐｅｒ）の役割をする。
【００３５】
第２角度維持部１４０はカバー１５０が一定の角度以上に開放されることを防止する役割をする。即ち、第１角度維持部１３０と第２角度維持部１４０によって、カバー１５０の角度を一定の範囲で動けるようにすることができ、特定の角度に維持するようにすることができる。
【００３６】
第１角度維持部１３０及び第２角度維持部１４０は、カバー１５０の角度を少なくとも３５〜５５°に維持させることができ、約４５°内外に維持することが好ましい。
【００３７】
一方、第１角度維持部１３０は所定の弾性を有するように形成することができ、カバー１５０に一定以上の圧力が加えられるとカバー１５０の引っかかり部１５４又は側面部が第１角度維持部１３０の支持から外れ、ランプ端子挿入溝１２２を覆うように形成することもできる。このような第１角度維持部１３０は、柔軟な材質で形成することができ、ランプソケット１００と一体で形成するものの、弾性を十分に有するように薄く形成することもできる。
【００３８】
第２角度維持部１４０はカバー１５０の後尾に突出して形成され、カバー１５０がヒンジ１５６を中心に回転する時、一定角度以上に回転することを防止することができる。第２角度維持部１４０は、所定の弾性を有するように形成するものの、第１角度維持部１３０とは異なり支持から外れず弾性力を維持して圧力が除去されると再び所定の角を維持するように形成することができる。このような第２角度維持部１４０は、一つ以上形成することができ、ヒンジ１５６に近接して形成することもできる。
【００３９】
以下、図８及び図９を参照して本発明の第１実施形態によるランプソケットの動作について詳細に説明する。図８及び図９は図１に示すランプソケットの動作を説明するための斜視図である。
【００４０】
先ず、図８を参照すると、ランプソケット１００はカバー１５０が所定の角度（θ２）で開放されている。
【００４１】
カバー１５０は第１角度維持部１３０及び第２角度維持部１４０によって支持される。具体的に、第１角度維持部１３０はカバー１５０の引っかかり部１５４を支持してカバー１５０が閉じられることを防止し、第２角度維持部１４０はカバー１５０の後尾部を支持してカバー１５０が一定角度以上に開かれることを防止するようにする。このようなカバー１５０の開放角（θ２）は一定の角度に維持させることができ、所定の区間を有する角度に維持させることができる。このようなカバー１５０の開放角（θ２）は、ランプ７０を垂直に挿入する時、ランプ端子７１が容易に挿入され得るか否かを考慮し、ランプ７０が挿入された後にカバー１５０が上部から垂直の圧力を受けて簡単に閉じられるか否かを考慮して調節される。カバー１５０の開放角（θ２）は上述したように少なくとも３５〜５５°に維持させることができ、約４５°内外に維持することが好ましい。
【００４２】
次に、図９を参照すると、ランプソケット１００はカバー１５０が一定の圧力を受けて閉じられるようになる。即ち、上述したように第１角度維持部１３０は弾性力を有しており、一定圧力以上が印加され、カバー１５０の引っかかり部１５４を支持せずにカバー１５０が閉じられるようにする。このようにカバー１５０に一定の圧力が印加され、カバー１５０が閉じられるようになるとカバー１５０の引っかかり部１５４とハウジング１１０の引っかかり溝１２４がフック結合してカバー１５０とハウジング１１０は固く固定される。
【００４３】
以下、図１０〜図１３を参照して本発明の第２実施形態によるランプソケットについて詳細に説明する。ここで、図１０は、本発明の第２実施形態によるランプソケットの正面図であり、図１１は、図１０に示すランプソケットの背面斜視図であり、図１２及び図１３は、図１０に示すランプソケットの動作を説明するための図である。説明の便宜上、第１実施形態の図面に示した各部材と同一機能を有する部材は同一符号で示しその説明は省略する。
【００４４】
本発明の第２実施形態によるランプソケット１００はカバー１５０の開放角を一定に維持するために第１接続端子２２６及び第２角度維持部１４０を含む。具体的に説明すると、第１接続端子２２６はランプ７０に駆動電圧を印加する役割をし、第１接続端子２２６の一部が支持壁１２３の外部に突出して角度維持部としての機能を共にする。図１２に示したようにカバー１５０が開放された場合、第１接続端子２２６は一部が支持壁１２３の外部に突出する。第１接続端子２２６は弾性力を有しており、支持壁１２３の外部から一定の圧力を印加することでランプ端子挿入溝１２２方向に曲がる。このような方式で第１接続端子２２６は、カバー１５０の引っかかり部１５４付近を支持し、カバー１５０が所定の角度を有して開放されるようにする。
【００４５】
一方、第２角度維持部１４０はカバー１５０が所定の角度以上に開放されることを防止する。
【００４６】
以下、ランプソケット１００のカバー１５０の開閉過程を説明する。
【００４７】
先ず、図１２を参照すると、カバー１５０が開放されると第１接続端子２２６は支持壁１２３の外部に突出する。この時、第１接続端子２２６はランプ端子挿入溝１２２から支持壁１２３の外部方向に曲がっており、ランプ端子挿入溝１２２にはランプ端子７１が容易に挿入され得る空間が確保される。
【００４８】
次に、図１３を参照すると、ランプ７０が挿入されてカバー１５０に一定以上の圧力が印加され、カバー１５０が第１接続端子２２６に圧力を加えることで、第１接続端子２２６は支持壁１２３内部に挿入されてランプ端子挿入溝１２２の内部に押し出されるようになる。
【００４９】
この時、挿入されたランプ端子７１はガイド部材１２０と第１接続端子２２６によって固定され、カバー１５０は支持壁１２３の上段を覆うようになる。これに伴い、ランプ７０はランプソケット１００に固定され、開口部１５２を通じて正確に挿入されたか否かを検査するようにする。
【００５０】
以下、図１４〜図１７を参照して本発明の第３実施形態によるランプソケットについて詳細に説明する。ここで、図１４は、本発明の第３実施形態によるランプソケットのカバーが開かれた形態の斜視図であり、図１５は、図１４に示すランプソケットの正面図であり、図１６は、本発明の第３実施形態によるランプソケットのカバーが閉じられた形態の斜視図であり、図１７は、図１６に示すランプソケットの正面図である。説明の便宜上、第１実施形態の図面に示した各部材と同一機能を有する部材は同一符号で示しその説明は省略する。
【００５１】
本発明の第３実施形態によるランプソケット１００はカバーの開放角を一定に維持するために固定突起２２１及び第２角度維持部１４０を含む。具体的に説明すると、カバー１５０の内側面に固定突起２２１が形成される。固定突起２２１は支持壁１２３によって支持されてカバー１５０の開放角が一定に維持されるようにする。固定突起２２１は支持壁１２３によって支持され、一定の圧力以上が印加されることで変形してカバー１５０が閉じられるようにする。
【００５２】
一方、カバー１５０が支持壁１２３の上段部を覆うと固定突起２２１は固定溝２２２に結合され、カバー１５０をハウジング１１０に固定することになる。
【００５３】
以下、ランプソケット１００のカバー１５０の開閉過程を説明する。
【００５４】
先ず、図１４及び図１５を参照すると、カバー１５０が開放されると固定突起２２１は支持壁１２３の上段部にかかるようになりカバー１５０が所定の角度を維持できるようになる。この時、第２角度維持部（図示せず）はカバー１５０が一定の角度以上に開放されることを防止する。
【００５５】
次に、図１６及び図１７を参照すると、ランプ７０が挿入されてカバー１５０に一定以上の圧力が印加され、カバー１５０の内壁に形成された固定突起２２１に圧力を加えると、固定突起２２１はカバー１５０と共に弾性変形を成すようになって支持壁１２３外部から離れるようになり、カバー１５０は支持壁１２３上段を覆うようになる。これに伴い、ランプ７０はランプソケット１００に固定され、開口部１５２を通じて正確に挿入されたか否かを検査するようにする。
【００５６】
以下、図１８及び図１９を参照して本発明の第４実施形態によるランプソケットについて詳細に説明する。ここで、図１８は、本発明の第４実施形態によるランプソケットの開かれた形態の側面図であり、図１９は、図１８に示すランプソケットの閉じられた形態の側面図である。説明の便宜上、第１実施形態の図面に示した各部材と同一機能を有する部材は同一符号で示しその説明は省略する。
【００５７】
本発明の第４実施形態によるランプソケット１００は、カバー１５０の開放角を一定に維持するためにヒンジ軸２５０に第１突起２５１を含み、ヒンジホール２６０に第２突起２６１を含む。
【００５８】
ランプソケット１００はカバー１５０とハウジング１１０がヒンジ結合をして開け閉めできるように形成される。カバー１５０はヒンジ軸２５０を含み、ハウジング１１０はヒンジホール２６０を含み、ヒンジ軸２５０がヒンジホール２６０内部で回転できるようにする。
【００５９】
ヒンジ軸２５０の円周面に第１突起２５１が形成されており、ヒンジホール２６０の内面には第２突起２６１が形成される。第１突起２５１及び第２突起２６１は一定の圧力以上が加えられると弾性変形を起こすように形成される。即ち、第１突起２５１及び第２突起２６１が互いを支持すればカバー１５０が開放された状態を維持するようになり、第１突起２５１及び第２突起２６１に一定以上の圧力が印加されると互いに弾性変形を起こすようになって互い外れるようになり、カバー１５０は閉じられるようになる。
【００６０】
具体的に図１８を参照して説明すると、第１突起２５１と第２突起２６１が互いに支持するようになるとヒンジ軸２５０はヒンジホール２６０内部で回転することができなくなる。従ってヒンジ軸２５０に連結されているカバー１５０は開かれた状態となる。
【００６１】
一方、図１９を参照すると、カバー１５０に一定の力を加えると、カバー１５０に連結されたヒンジ軸２５０にトルク（ｔｏｒｑｕｅ）が発生することになる。このようなトルクが一定の範囲以上になれば第１突起２５１及び第２突起２６１は互いに弾性変形をするようになって第１突起２５１は第２突起２６１を通り過ぎることになる。従って、ヒンジ軸２５０はヒンジホール２６０に沿って回転するようになりヒンジ軸２５０に連結されたカバー１５０は閉じられた状態となる。
【００６２】
このような第１突起２５１及び第２突起２６１は多様な形状に変形することが可能であり、形成位置も多様に変形することが可能である。
【００６３】
以下、図２０を参照して本発明の一実施形態による液晶表示装置について詳細に説明する。図２０は、本発明の一実施形態によるランプソケットを含む液晶表示装置の分解斜視図である。
【００６４】
本発明の一実施形態による液晶表示装置１は、液晶パネルアッセンブリ３０、上部収納容器２０、中間フレーム４０、光学シート５０、拡散板６０、ランプ７０、反射板８０、ランプソケット１００、ソケットガイド１０５及び下部収納容器９０を含む。
【００６５】
液晶パネルアッセンブリ３０は、薄膜トランジスタ表示板３２、共通電極表示板３３及び二つの表示板の間に介在された液晶層（図示せず）を含む液晶パネル３１、ゲートテープキャリアパッケージ３５、データテープキャリアパッケージ３４及び統合印刷回路基板３６を含む。
【００６６】
液晶パネル３１は、ゲートライン（図示せず）及びデータライン（図示せず）と薄膜トランジスタアレイ、画素電極などを含む薄膜トランジスタ表示板３２と、ブラックマトリックス（ｂｌａｃｋ  ｍａｔｒｉｘ）、共通電極などを含み薄膜トランジスタ表示板３２に対向するように配置された共通電極表示板３３を含む。このような液晶パネル３１は映像情報を表示する役割をする。
【００６７】
そして、ゲートテープキャリアパッケージ３５は薄膜トランジスタ表示板３２に形成された各ゲートライン（図示せず）に接続され、データテープキャリアパッケージ３４は薄膜トランジスタ表示板３２に形成された各データライン（図示せず）に接続される。ここでゲートテープキャリアパッケージ３５及びデータテープキャリアパッケージ３４は半導体チップがベースフィルム上に形成された配線パターンとタブ（ＴＡＢ：Ｔａｐｅ  Ａｕｔｏｍａｔｅｄ  Ｂｏｎｄｉｎｇ）技術によって接合されたタブテープ（ＴＡＢ  ｔａｐｅ）を含む。
【００６８】
一方、統合印刷回路基板３６にはゲートテープキャリアパッケージ３５にゲート駆動信号を入力して、データテープキャリアパッケージ３４にデータ駆動信号を入力できる様々な駆動部品が実装される。
【００６９】
上部収納容器２０は、液晶表示装置１の外観を形成し、内部に液晶パネルアッセンブリ３０が収納される空間が形成されている。このような上部収納容器２０の中央部には液晶パネル３１を外部に露出させる開放窓が形成されている。
【００７０】
上部収納容器２０は中間フレーム４０を介して下部収納容器９０と結合される。
【００７１】
中間フレーム４０は内部に光学シート５０、拡散板６０、ランプ７０、反射板８０、ランプソケット１００及びソケットガイド１０５を収納し、下部収納容器９０に安着固定される。このような中間フレーム４０は、長方形形状の端に沿って形成された側壁で構成され、中央部には拡散板６０及び光学シート５０を通過した光が透過され得るように開放窓を形成する。
【００７２】
光学シート５０は、拡散板６０から伝達される光を拡散して集光する役割をするものであって、拡散板６０の上部に配置されて中間フレーム４０の内部に収納される。このような光学シート５０は、第１プリズムシート、第２プリズムシート、保護シートなどを含む。
【００７３】
第１及び第２プリズムシートは、拡散板６０を通過した光を屈折させて低い角度で入射する光を正面に集中させ、有効視野角範囲で液晶表示装置の明るさを向上させる役割をする。
【００７４】
第１及び第２プリズムシートの上に形成される保護シートは、プリズムシートの表面を保護する役割をなすだけでなく、光の分布を均一にするために光を拡散させる役割を果たす。このような光学シート５０の構成は上記の例に限定されず、液晶表示装置１の仕様に応じて多様に変更され得る。
【００７５】
拡散板６０は、光源から出た光を各方向に拡散させる役割をするものであって、光源ユニットの形状に沿って明るく現れる輝点又は輝線が液晶表示装置１の前面から見えないようにする。
【００７６】
ランプ７０は、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）などを使用することができる。熱陰極線蛍光ランプ（ＨＣＦＬ）の場合、両端に２個ずつの端子を含む。このような端子７１はランプソケット１００及び接地ソケット１０６に挿入されて電源の供給を受けることになる。
【００７７】
一方、ランプソケット１００は、ソケットガイド１０５に挿入されて下部収納容器９０の床面に形成されたソケット挿入口９５を通じて下部収納容器９０の床面に露出し、ソケット挿入口９５を通じて露出したランプソケット１００にはインバータ（図示せず）が挿入される。
【００７８】
以下、図２１〜図２４を参照して本発明の一実施形態による液晶表示装置の製造方法について詳細に説明する。図２１〜図２４は、本発明の一実施形態による液晶表示装置の製造方法を説明するための図である。
【００７９】
先ず、図２１を参照すると、第１角度維持部１３０及び第２角度維持部１４０によって所定の角度で開放されたカバー１５０を含むランプソケット１００を下部収納容器９０の床面に挿入する。
【００８０】
次に、図２２を参照すると、ランプ７０をランプソケット１００の上部から移動してランプソケット１００に挿入する。この時、ランプ端子７１がランプ端子挿入溝１２２に挿入される。
【００８１】
次に、図２３を参照すると、ランプ７０がランプソケット１００に挿入された後にカバー１５０に一定の圧力を印加する。この時、第１角度維持部１３０によって所定の角度に開放されていたカバー１５０は上部から作用する圧力によって閉じられることになる。このような作業はカバー上部にランプ７０の挿入方向と同じ垂直の圧力を加える自動化装置によって自動に行うことができる。
【００８２】
最後に、図２４を参照すると、ランプ７０を挿入した後、ランプ７０の挿入状態を点検するためにカバー１５０の上面に形成された開口部１５２を通じて正しく挿入されたか否かとカバー１５０とハウジング１１０の結合状態を確認する。
【００８３】
このような一連の製造過程は組立ての工程を単純化することができ、自動化組立て設備によって容易に遂行できるものである。
【００８４】
以上、図面を参照しながら本発明を実施するための形態について説明したが、本発明は、上述の実施形態に限られるものではなく、本発明の技術的範囲から逸脱しない範囲内で多様に変更実施することが可能である。
【符号の説明】
【００８５】
１    液晶表示装置
２０    上部収納容器
３０    液晶パネルアッセンブリ
３１    液晶パネル
３２    薄膜トランジスタ表示板
３３    共通電極表示板
３４    データテープキャリアパッケージ
３５    ゲートテープキャリアパッケージ
３６    統合印刷回路基板
４０    中間フレーム
５０    光学シート
６０    拡散板
７０    ランプ
７１    ランプ端子
８０    反射板
９０    下部収納容器
９５    ソケット挿入口
１００    ランプソケット
１０５    ソケットガイド
１０６    接地ソケット
１１０    ハウジング
１１１    フランジ（ｆｌａｎｇｅ）
１１２    ソケット固定部
１１４    インバータ挿入口
１１６    第２接続端子
１２０    ガイド部材
１２２    ランプ端子挿入溝
１２３    支持壁
１２４    引っかかり溝
１２６、２２６    第１接続端子
１３０    第１角度維持部
１４０    第２角度維持部
１５０    カバー
１５２    開口部
１５４    引っかかり部
１５６    ヒンジ
１６０    ランプ据え置き部
２２１    固定突起
２２２    固定溝
２５０    ヒンジ軸
２５１    第１突起
２６０    ヒンジホール
２６１    第２突起
【図１】
0005580537.tif 000002
【図２】
0005580537.tif 000003
【図３】
0005580537.tif 000004
【図４】
0005580537.tif 000005
【図５】
0005580537.tif 000006
【図６】
0005580537.tif 000007
【図７】
0005580537.tif 000008
【図８】
0005580537.tif 000009
【図９】
0005580537.tif 000010
【図１０】
0005580537.tif 000011
【図１１】
0005580537.tif 000012
【図１２】
0005580537.tif 000013
【図１３】
0005580537.tif 000014
【図１４】
0005580537.tif 000015
【図１５】
0005580537.tif 000016
【図１６】
0005580537.tif 000017
【図１７】
0005580537.tif 000018
【図１８】
0005580537.tif 000019
【図１９】
0005580537.tif 000020
【図２０】
0005580537.tif 000021
【図２１】
0005580537.tif 000022
【図２２】
0005580537.tif 000023
【図２３】
0005580537.tif 000024
【図２４】
0005580537.tif 000025